(57)【要約】【課題】予め録音しておいた音声を通話中に送れるようにした電話装置を提供することを目的としている。【解決手段】電話装置に、通話中に送出する音声を記憶する記憶手段と、記憶手段に記憶した音声を読み出す音声読み出し手段と、音声送出指示入力手段とを設け、記憶手段から読み出した音声を、通話中にマイクロフォンに入力される音声と同時に、またはマイクロフォンに入力される音声と差し替えて送出する。通話中に送出する音声は、既に録音してある他の通話時の音声を用いたり、着信待ち受け時に録音した音声を用いたり、インターネットの音声配信サーバーからダウンロードした音声を用いたり、他の機器で記録した音声を用いたり、記憶手段に記憶してある着信メロディを用いたり、他の記録媒体に記録されている音声を用いることができる。【選択図】  図５
2004320596.tif 000002
【特許請求の範囲】
【請求項１】
電話装置において、通話中に送出する音声を記憶する記憶手段と、前記記憶手段に記憶した音声を読み出す音声読み出し手段と、音声送出指示入力手段と、送出音声ミキシング手段とを設け、前記記憶手段から読み出した音声を、送話器から入力した音声とミキシングして送出するようにした電話装置。
【請求項２】
通話中に送話器から入力される通話者の音声の無音区間は、前記記憶手段から読み出して送出する音声の音量を大きく、通話者の音声の有音区間は、記憶手段から読み出して送出する音声の音量を小さくするようにした請求項１に記載の電話装置。
【請求項３】
前記記憶手段から読み出した音声を送出するときは、通話中に送話器から入力される通話者の音声の送出を止めるようにした請求項１に記載の電話装置。
【請求項４】
前記記憶手段から読み出した音声を送出するときに、当該音声の前に識別音を送出するようにした請求項１から請求項３のいずれかに記載された電話装置。
【請求項５】
前記記憶手段から読み出した音声を送出するときに、当該音声の後に識別音を送出するようにした請求項１から請求項４のいずれかに記載された電話装置。
【請求項６】
前記記憶手段には、複数の音声を記憶しておき、それぞれの音声に対応した音声送出指示入力手段を設けて構成した請求項１から請求項３のいずれかに記載された電話装置。
【請求項７】
上記構成に加え、前記記憶手段に記憶した音声の全部または一部をテキストデータに変換する音声文章化手段を設け、前記記憶手段に記憶した音声を選択する際に、前記記憶手段に記憶した音声の全部または一部をテキストデータとして表示手段に表示するようにした請求項１から請求項３のいずれかに記載の電話装置。
【請求項８】
通話中に前後を識別音で区切られた音声が送信されてきたときには、識別音で区切られた音声を前記記憶手段に記憶するようにした請求項１に記載の電話装置。
【発明の詳細な説明】
【０００１】
【発明の属する技術分野】
予め録音した音声を再生して送信できるようにした電話装置に関する。
【０００２】
【従来の技術】
一つのメッセージを多数の人に伝えるのにフアクシミリ装置では、複数の送り先に同時に送信する同報通信機能がある。電話装置でも同報通信機能があると、例えば学校の緊急連絡事項を複数の児童の保護者に一度に伝えるときなど、同じメッセージを複数の人に伝えるのに便利である。
【０００３】
しかし、現実に多くの学校では同報通信機能を備えた電話装置を使用しないで、予め定めた連絡網で伝言を順番に伝えていく方法を採っている。この方法は、伝言を伝えるのに、連絡網の順番に従って、ＡさんからＢさんに、ＢさんからＣさんに、ＣさんからＤさんというように、話し手は伝言を読み、聞き手は伝言をメモし、その次の電話では聞き手だった人が読み手となって、メモを読み上げるという作業を行っている。この方法では、いちいち聞いた内容をメモして次の人に伝える必要があり、聞き違い、言い違いが起こる可能性があることから、正確に伝わらないこともあった。
【０００４】
他の方法として、音声メールという方法が提案されている。これは、ユーザーが音声メール支援サーバーへ音声メールの送信を依頼すると、音声メール支援サーバーは、受け付けたテキストメッセージあるいは受け付けた音声情報を音声メッセージとして、指定された送信日時が来るのを待って受信者へ電話を発呼して音声メールを送信するという方法である（例えば、特許文献１）。音声メールの送信先を複数設定すれば、同じ音声メールを複数の送信先に順次送ることができて便利である。しかしこの方法は、音声メール支援サーバーの存在を前提としているため、利用可能な音声メール支援サーバーがなければ利用することができない。
【０００５】
【特許文献１】
特開２００２−９９４８６号公報（第３−４頁、第２図）
【０００６】
【発明が解決しようとする課題】
本発明は、従来の電話通信網を用いて、予め録音しておいた音声を通話中に送れるようにした電話装置を提供することを目的としている。
【０００７】
また本発明は、通話中に予め録音しておいた音声を送話器であるマイクロフォンから入力される通常の音声と同時に送るようにして、通常の音声が途切れないようにした電話装置を提供することを第２の目的としている。
【０００８】
また本発明は、通話中に予め録音しておいた音声を挿入しても、録音しておいた音声と通話者の音声が混同されないように、録音しておいた音声と送話器であるマイクロフォンから入力される通話者の音声を区別できるようにした電話装置を提供することを第３の目的としている。
【０００９】
【課題を解決するための手段】
本発明は、電話装置において、通話中に送出する音声を記憶する記憶手段と、前記記憶手段に記憶した音声を読み出す音声読み出し手段と、音声送出指示入力手段と、送出音声ミキシング手段とを設け、記憶手段から読み出した音声を、送話器から入力した音声とミキシングして送出する構成を採る。
【００１０】
この構成により、予め記憶手段に記憶しておいた音声を、音声送出指示信号入力手段に送出指示信号を入力することにより、通話の途中で音声を挿入する形で相手側の電話機に送ることができる。
【００１１】
また本発明は、通話中に送話器から入力される通話者の音声の無音区間は、記憶手段から読み出して送出する音声の音量を大きく、通話者の音声の有音区間は、記憶手段から読み出して送出する音声の音量を小さくする構成を採る。
【００１２】
この構成により、記憶手段から読み出して送出する音声を確実に伝えることができる。
【００１３】
また本発明は、記憶手段から読み出した音声を送出するときは、通話中に送話器から入力される通話者の音声の送出を止めるようにした構成を採る。
【００１４】
この構成により、記憶手段から読み出した音声にマイクロフォンからの音声や周囲の雑音が入ることがないので、通話者が声を出さないように息をこらえたり、マイクロフォンを押さえたりしなくて済むという効果がある。
【００１５】
また本発明は、記憶手段から読み出した音声を送出するときに、当該音声の前に識別音を送出するようにした構成を採る。
【００１６】
この構成により、マイクロフォンから入力した音声と、記憶手段から読み出した音声との区別をつけて送信することができる。区別することにより、いわゆる成りすまし電話として使用できないようにもしている。
【００１７】
また本発明は、記憶手段から読み出した音声を送出するときに、当該音声の後に識別音を送出するようにした構成を採る。
【００１８】
この構成により、記憶手段から読み出した音声の前に識別音を送出するときと同じく、マイクロフォンから入力した音声と、記憶手段から読み出した音声との区別をつけている。また、記憶手段から読み出した音声の前後に識別音を送出することにより、読み出した音声区間を識別できるようにしている。
【００１９】
さらに本発明は、記憶手段に複数の音声を記憶しておき、それぞれの音声に対応した音声送出指示入力手段を設けた構成を採る。
【００２０】
この構成により、通話中に記憶手段に記憶してある複数の音声の中から、送出する音声を簡単に選んで送出することができる。
【００２１】
また本発明は、上記構成に加え、記憶手段に記憶した音声の全部または一部をテキストデータに変換する音声文章化手段を設け、記憶手段に記憶した音声を選択する際に、記憶手段に記憶した音声の全部または一部をテキストデータとして表示手段に表示する構成を採る。
【００２２】
この構成により、通話中に送出したい音声の内容を文字情報として確認して、間違いなく選択して送出することができる。
【００２３】
更に本発明は、通話中に前後を識別音で区切られた音声が送信されてきたときには、識別音で区切られた音声を記憶手段に記憶する構成を採る。
【００２４】
この構成により、前後を識別音で区切った音声を一つの伝言として記憶することができ、他の電話機との通話中に記憶した伝言だけを読み出して、伝言を転送する形で送信することが出来る。
【００２５】
【発明の実施の形態】
（実施の形態１）
以下、本発明の第１の実施の形態に係る電話装置を図面とともに説明する。図１は、本発明の第１の実施の形態に係る電話装置を用いて、１つの伝言の音声をそのまま録音して電話連絡網の連絡先に送信する電話連絡システムのシステム構成図である。ここでは、本発明の第１の実施の形態に係る電話装置として携帯電話装置を用いた例を示すが、電話装置は固定電話装置であってもよい。
【００２６】
図１では、携帯電話網１に基地局２ａ、２ｂが接続しており、携帯電話装置３、４、５、６が、それぞれ基地局２ａまたは基地局２ｂを介して他の携帯電話装置と通話することができる。携帯電話装置４、５、６には、通話中の音声を内蔵する記憶手段に記憶して、次の通話中にその記憶手段から記憶した音声を読み出して送信する手段を設けている。例えば学校の職員が、携帯電話装置３を用いて電話連絡網の最初の連絡先である保護者の携帯電話装置４と通話中に伝言を読み上げたとする。携帯電話装置４では、後述する録音キーを押して、読み上げられる伝言の音声を記憶手段に記憶する。携帯電話装置４は、次の連絡先である携帯電話装置５に発呼して、記憶した伝言を記憶手段から読み出して送信する。また、携帯電話装置５は、同様に伝言を記憶手段に記憶して、次の連絡先である携帯電話装置６に発呼して、記憶手段に記憶した伝言を読み出して送信する。このように、携帯電話装置３から携帯電話装置４に送られた伝言は、伝えられた音声のまま電話連絡網の携帯電話装置５と携帯電話装置６に伝えられる。携帯電話装置５と携帯電話装置６の使用者は、学校の職員の携帯電話装置３と通話していないのに、学校の職員の声で伝言内容を聞くことができるので、伝言は正確に伝わる。
【００２７】
図２に、本発明の第１の実施の形態に係る電話装置である携帯電話装置４の構成をブロック図として示す。なお、携帯電話装置５、６も携帯電話装置４と構成は同じである。図２のように、携帯電話装置４は、無線通信を行う無線通信手段である送信部１０と、受信部１１と、アンテナ１２と、無線制御手段１３とを持ち、無線制御手段１３を装置全体の制御を行う全体制御手段１４と音声処理手段１５に接続している。無線制御手段１３は、アンテナ１２と受信部１１で受信した無線信号から制御信号と音声信号を取り出し、全体制御手段１４あるいは音声処理手段１５に送出する。
【００２８】
音声処理手段１５は、音声信号を受話器として機能するスピーカー１６に出力し、また送話器として機能するマイクロフォン１７から入力された音声信号を無線制御手段１３に送る働きをしている。マイクロフォン１７から入力された音声信号は、無線制御手段１３の制御により、送信部１０、アンテナ１２から携帯電話網１に接続した最寄りの基地局２ｂへ送信される。また、音声処理手段１５は、挿入音声記憶手段２２から読み出した音声と、マイクロフォン１７から入力された音声をミキシングする送出音声ミキシング手段としての機能も果たすようにしている。
【００２９】
全体制御手段１４には、電話番号などを入力するためのキー操作部１８と、通話中の通話内容を録音するための指示信号を入力する録音キー１９と、液晶表示手段を用いた表示手段２０と、電話帳データや着信メロディなどを記憶する記憶手段２１に接続している。また、本発明では、特に、通話中にマイクロフォン１７から入力される音声に挿入する形で送信するための音声を録音しておく挿入音声記憶手段２２を、記憶手段２１とは別に全体制御手段１４に接続している。携帯電話装置４で通話中に録音キー１９を押すと、全体制御手段１４は、音声処理手段１５から通話中の音声信号を挿入音声記憶手段２２に記憶する。
【００３０】
図３に、挿入音声記憶手段２２に記憶した記憶状態を図式的に示す。挿入音声記憶手段２２には、アドレス番号２３毎に、アドレス１からアドレス４に対応した録音内容２４と、音声を録音したときの通話相手の電話番号または電話番号に対応する氏名または名称２５、録音日時２６が記憶されている。
【００３１】
図４に、携帯電話装置４の外観図を示す。通話中に、キー操作部１８の四方向キー１８ａを用いて、挿入音声選択画面を表示させると、図４の表示手段２０のように、挿入音声記憶手段２２から、アドレス番号２３と、音声を録音したときの通話相手の電話番号、氏名または名称２５が表示される。アドレス番号２３の数値とテンキー入力する数値は一対一に対応させているので、送出したい音声のアドレス番号２３の数値と同じキー操作部１８のテンキーを押して、送出する音声を選択し、四方向キー１８ａの中央の確定キー１８ｂを押すことによって、挿入音声記憶手段２２から音声を読み出して送出する音声送出指示信号を入力するようにしている。なお、送出したい音声を選択するには、四方向キー１８ａを用いて表示手段２０に破線枠として示されているカーソルを上下にスクロールして、希望する音声のアドレス番号２３を破線枠で囲み、四方向キー１８ａの中央の確定キー１８ｂを押すことによって、挿入音声記憶手段２２から音声を読み出して送出する音声送出指示信号を入力できるようにもしている。また、送出したい音声のアドレス番号２３の数値と同じキー操作部１８のテンキーを押すことにより、送出する音声の選択を行うと同時に音声送出指示信号を入力するようにしてもよい。
【００３２】
図５に、携帯電話装置４で通話中に、挿入音声記憶手段２２に記憶した通話録音内容を読み出して送出するときの動作手順をフローチャートとして示す。図５で、携帯電話装置４の電源を入れると（ステップＳ１）、電源が全体制御手段１４と無線制御手段１３に入り、送信部１０と受信部１１により、携帯電話網１の基地局と制御信号の間欠受信が始まり、携帯電話装置４の位置登録等が行われて着信待ち受け状態となる（ステップＳ２）。そして、携帯電話装置４の使用者がキー操作部１８の通話キーの操作を行うと通話が始まる（ステップＳ３）。
【００３３】
通話中に、携帯電話装置４の四方向キー１８ａを用いて、既に説明した図４のように挿入音声選択画面を表示させる（ステップＳ４）。そして、キー操作部１８のテンキーで送出したい音声のアドレス番号２３を入力する（ステップＳ５）。すると、送信のしかたについて、マイクロフォン１７に入力される音声と差し替える形の送信にするか、マイクロフォン１７に入力される音声とミキシングした形の送信にするかを選択する画面が表示手段に表示されるので、いずれかを選択し、四方向キー１８ａの中央の確定キー１８ｂを押す（ステップＳ６）。ここでは、マイクロフォン１７に入力される音声と差し替える形の送信を選択し、四方向キー１８ａの中央の確定キー１８ｂを押したとすると、全体制御手段１４は、マイクロフォン１７からの音声信号を無線制御手段１３に送らず、挿入音声記憶手段２２に記憶した録音内容２４を読み出し、先頭に識別音を付けて、識別音に挿入音声記憶手段２２から読み出した音声が続く形にして、無線制御手段１３、送信部１０、アンテナ１２を用いて送信する（ステップＳ７）。送信が完了すれば（ステップＳ９）、読み出した音声に続けて識別音を発し、ステップＳ３の通常の通話状態に戻る。
【００３４】
なお、ステップＳ６で、マイクロフォン１７に入力される音声とミキシングした形の送信を選択したときは、送出音声ミキシング手段として機能する音声処理手段１５が、挿入音声記憶手段２２から読み出した音声とマイクロフォン１７から入力された音声をミキシングして送出する（ステップＳ８）。そして、通常の通話状態のときに、キー操作部１８の終話ボタンを押して終話すると（ステップＳ１０）、ステップＳ２の着信待ち受け状態に戻る。なお、ステップＳ７のときも、ステップＳ８のときも、挿入音声記憶手段２２から読み出した音声を送出するときには音声処理手段１５が送出する音声をスピーカー１６にモニター出力して、通話者が送出している音声を確認できるようにしている。
【００３５】
図６に、通話中に挿入音声記憶手段２２から読み出した音声をマイクロフォン１７から入力される音声２７と差し替えた形で送出するときの音声信号を模式的に示す。挿入された音声２９の前には識別音２８が、挿入された音声２９の後には識別音３０が送出されるようにしている。そしてこれらの音声は、矢印に示すように、マイクロフォンからの音声２７、識別音２８、挿入された音声２９、識別音３０、マイクロフォンからの音声３１というように送出される。ここで、識別音２８、３０はブザー音でも、チャイム音でも、短いメロデイでも、言葉でもよい。これら識別音２８と識別音３０は、互いに異なる音を用いて、いわゆるヘッダー音、フッター音というように、それぞれ挿入される音声２９の始まりと終わりを示すようにしている。また、それぞれの識別音と同時に、受信する電話機で挿入音声記憶手段２２への記憶を開始する、あるいは記憶を終了するための制御信号を送信するようにしても良い。
【００３６】
識別音２８、３０を付けることにより、挿入された音声２９とマイクロフォン１７から入力された音声２７、３１が区別される。このことにより、挿入音声記憶手段２２に記憶した音声の主と通話者が混同されることが無くなる。また、通話者が挿入された音声２９の主になりすます、いわゆるなりすまし電話としての使用も防止される。
【００３７】
図７に、通話中に挿入音声記憶手段２２から読み出した音声と、マイクロフォン１７から入力される音声３２とを、音声処理手段１５でミキシングした音３４として送出したときの音声信号を模式的に示す。ミキシングすると、挿入音声記憶手段２２から読み出した音声とマイクロフォン１７から入力された音声がミキシングされた音声３４として、同時に送られる。なお、挿入音声記憶手段２２から読み出した音声とマイクロフォン１７から入力された音声の両方の声の主が同時に話しているという錯覚を与える可能性があるので、区別するためにミキシングされた音声３４の前後に識別音３３、３５をそれぞれ送出するようにしている。
【００３８】
また図示していないが、音声処理手段１５には、マイクロフォン１７に入力される音声が有音か無音かを判別する有音・無音判別手段を設けている。マイクロフォン１７に入力される音声が有音のとき（一定レベル以上の大きさの音声信号が入力されているとき）は、マイクロフォン１７に入力される音声と挿入音声記憶手段２２から読み出した音声を、予め定めた比率の音量で同時に出力するが、マイクロフォン１７に入力される音声が無音のとき（一定レベル以上の大きさの音声信号が入力されていないとき）は、ミキシングする挿入音声記憶手段２２から読み出した音声の音量を大きくしている。挿入音声記憶手段２２に記憶した伝言等の音声を送出するときは、普通はマイクロフォン１７に声や騒音が入らないようにするので、無音のときは、挿入音声記憶手段２２から読み出した音声の音量を大きくして相手が聞き取りやすいようにしている。
【００３９】
図８に、携帯電話装置４の挿入音声記憶手段２２に、通話中の音声を記憶するときの動作手順をフローチャートとして示す。なおここでは、通話中の音声を記憶する方法として、送信されてきた音声の内、前後を識別音で区切った音声の部分だけを記憶する方法と、録音キー１９を押している間に送信されてきた音声をすべて記憶する方法のどちらかを予め選択して携帯電話装置４の全体制御手段１４に設定できるようにしているとして説明する。なお説明を簡単にするために、既に説明した図５のフローチャートと同一のステップについては、同一のステップ番号を付して、詳しい説明を省略する。
【００４０】
携帯電話装置４の電源が入り（ステップＳ１）、着信待ち受け状態となって（ステップＳ２）、通話が始まる（ステップＳ３）。通話中に録音キー１９が押されると（ステップＳ１１）、全体制御手段１４が予め設定されている通話中の音声を記憶する方法を確認する（ステップＳ１２）。前後を識別音で区切った音声の部分を記憶するよう設定してあれば、録音キー１９が押されてから最初の識別音、つまり挿入される音声２９の始まりを示す識別音２８を受信したときに記憶（録音）を開始し（ステップＳ１３）、通話中の音声とミキシングあるいは差し替えた形で送られてくる音声を記憶（録音）し（ステップＳ１４）、挿入される音声２９の終わりを示す識別音３０を受信したときに記憶（録音）を終了する（ステップＳ１５）。通話中の音声の記憶が終了すると、再びステップＳ３の通話状態に戻る。このように挿入される音声２９の始まりを示す識別音２８を受信したときに記憶を開始し、挿入される音声２９の終わりを示す識別音３０を受信したときに記憶を停止することにより、前後を識別音で区切った音声だけを記憶することができる。そのため、前後を識別音で区切った音声だけを挿入音声記憶手段２２から読み出して、次の電話機に転送することができる。
【００４１】
なお、録音キー１９を押している間だけ通話中の音声を記憶する設定にしていたときは、録音キー１９を押したときから記憶（録音）を開始し（ステップＳ１７）、通話中の音声を記憶（録音）し（ステップＳ１８）、録音キー１９が離されたときに記憶（録音）を終了するようにしている（ステップＳ１９）。この場合は、識別音に関係なく任意の期間の通話中の音声を記憶することができる。
【００４２】
（実施の形態２）
次に、本発明の第２の実施の形態に係る電話装置である携帯電話装置３９について説明する。携帯電話装置３９は、インターネット接続機能と、赤外線通信機能と、他の電子機器に接続して他の電子機器の電子データを記憶手段に取り込む機能を持つ携帯電話装置であって、通話中に送出できる音声として、予め通話中に録音した音声の送出を行えるだけでなく、挿入音声記憶手段２２に記憶した他の音声も送出できるようにしている。
【００４３】
図９に、本発明の第２の実施の形態に係る電話装置である携帯電話装置３９の動作手順のフローチャートを示す。図９において、携帯電話装置３９の電源を入れると（ステップＳ２１）、発信と着信動作が可能ないわゆる着信待ち受け状態になる（ステップＳ２２）。先に他の通話をした際に通話内容を録音しておいて（ステップＳ２３）、通話を開始する（ステップＳ２８）。携帯電話装置３９の使用者が、既に行った他の通話の際に録音した通話内容を、今回の通話中に送出する音声として選択し、挿入音声番号を入力し、音声送出指示信号を入力すると（ステップＳ２９）、挿入音声記憶手段２２から、入力されたアドレス番号に登録された音声を読み出して送信する（ステップＳ３０）。送信が終わると、通常の通話を再開し（ステップＳ３１）、キー操作部１８の終話ボタンを押すと終話して（ステップＳ３２）、ステップ２２の着信待ち受け状態に戻るのは、第１の実施の形態と同じである。
【００４４】
本発明の携帯電話装置３９は、これにとどまらず、着信待ち受け時に、キー操作部１８と全体制御手段１４と、マイクロフォン１７と、音声処理手段１５を用いて、マイクロフォン１７から入力された音声信号を挿入音声記憶手段２２に記憶しておき（ステップＳ２４）、ステップＳ２９でその挿入音声番号を入力し、音声送出指示信号を入力することにより、着信待ち受け状態においてマイクロフォン１７から入力して録音しておいた音声を、通話中に送信することができる。
【００４５】
また、本発明の携帯電話装置３９は、キー操作部１８と全体制御手段１４と無線制御手段１３と送信部１０と受信部１１とアンテナ１２と、挿入音声記憶手段２２を用いて、図示しないインターネットの音楽を含む音声配信サーバーから音声をダウンロードして挿入音声記憶手段２２に記憶しておき（ステップＳ２５）、上記と同様に、ステップＳ２９でその挿入音声番号を入力し、音声送出指示信号を入力することにより、音楽を含む音声配信サーバーからダウンロードした音声を通話中に送信することができる。
【００４６】
更に、本発明の携帯電話装置３９は、他の携帯電話装置に記憶してある音声を赤外線通信により受信して、挿入音声記憶手段２２に記憶したり、他のパーソナルコンピュータに記憶してある音声を信号線を接続して挿入音声記憶手段２２にコピーしたりして（ステップＳ２６）、上記と同様に、ステップＳ２９でその挿入音声番号を入力し、音声送出指示信号を入力することにより、予め他の電子機器から挿入音声記憶手段２２にコピーした音声を通話中に送信することができる。
【００４７】
また、本発明の携帯電話装置３９は、記憶手段２１に記憶してある着信メロディを挿入音声記憶手段２２の一部として使用可能にしたり、挿入音声記憶手段２２にコピーしたりしておいて（ステップＳ２７）、ステップＳ２９でその挿入音声番号を入力し、音声送出指示信号を入力することにより、携帯電話装置３９の記憶手段２１に記憶してあった着信メロディを通話中に送信することができる。このことにより、自分が日常使用している着信メロディを通話中の相手に聞かせることなどができる。
【００４８】
また、図９には記載していないが、挿入音声記憶手段２２をカード式半導体メモリーのように着脱式の記憶媒体を用いた記憶手段とすることにより、記憶媒体を差し替えて装着することにより、差し替えた記憶媒体に記憶してある音声を通話中に送信することもできる。
【００４９】
（実施の形態３）
次に、本発明の第３の実施の形態に係る電話装置である携帯電話装置４０について説明する。図１０に、携帯電話装置４０のブロック図を示す。携帯電話装置４０には、既に図２で示した携帯電話装置４の構成に加えて、音声文章化処理手段４１を設けた点に特徴がある。他の構成については、前述の図２で示した携帯電話装置４の構成と同じであるので、同じ部分については同じ符号を付して説明を省略する。携帯電話装置４０の音声文章化処理手段４１は、挿入音声記憶手段２２に記憶した音声データを分析処理してテキストデータに変換する機能を果たしている。
【００５０】
例えば図１１に示すように、挿入音声記憶手段２２のアドレス番号２３に対応する録音内容２４について、例えば慣用的な「もしもし」等を削除し、前から数文字程度の短い音声部分をテキストデータに変換し、テキストデータに変換した内容３７を挿入音声記憶手段２２のアドレス番号２３に関連する一つのデータとして記憶するようにしている。そのため、第３の実施の形態の携帯電話装置４０では、図１２のように表示手段２０に表示された挿入音声選択画面に、挿入音声記憶手段２２のアドレス番号２３と記憶した音声をテキストデータに変換した内容３７を表示するようにしている。なお、録音内容２４全部をテキストデータ化しておいて、携帯電話装置４０で挿入音声選択画面を表示しているときに、四方向キー１８ａを用いてカーソル枠３８を動かして、いずれかのアドレス番号２３とテキストデータに変換した内容３７を囲むと、全文章を表示手段２０いっぱいに表示するようにしても良い。携帯電話装置４０では、挿入音声記憶手段２２のアドレス番号に相当するキー操作部１８のテンキーを押すことにより、アドレス番号に対応した音声の内容が選択され、四方向キー１８ａの中央の確定キー１８ｂが押されて音声送出指示信号が入力されると携帯電話網１へ送出される。
【００５１】
携帯電話装置４０の動作手順をフローチャートで示すと図１３のようになる。図１３のフローチャートは基本的に既に説明した図５のフローチャートと同じで、挿入音声選択画面を表示するときに、選択できる音声を文字表示するステップＳ４５が異なる。他のステップは同じ内容なので、同じステップについては同じ符号を付して説明を省略する。
【００５２】
すなわち、通話中に、携帯電話装置４の四方向キー１８ａを用いて挿入音声選択画面を表示させる（ステップＳ４）。すると、既に説明した図１２のように挿入音声選択画面に録音内容２４をテキストデータに変換した内容３７が表示されるので（ステップＳ４５）、送出したい音声の内容を確認して、キー操作部１８のテンキーでアドレス番号２３を入力し（ステップＳ５）、あとは図５と同様の手順で挿入音声記憶手段２２に記憶した音声を送出することができる。
【００５３】
本発明の第３の実施の形態の携帯電話装置４０によれば、表示手段２０に挿入音声記憶手段２２に記憶した音声の全部または一部をテキストデータとして表示するので、送信したい内容を確認して正確に送信することができる。
【００５４】
【発明の効果】
以上説明したように、本発明によれば、従来の電話通信網を用いて、予め記憶手段に記憶していた音声を通話中に送ることができる。より具体的には、電話機で相手と通話を始めた後、通話の途中から、予め録音しておいた伝言内容を通話に挿入する形で、相手側の電話機に送信することができる。特に、挿入音声記憶手段２２に記憶した音声をそのまま転送できるので、例えば、学校の電話連絡網の伝言について、いちいちメモをとったり、メモを慎重に読み上げたり、送信者と受信者とで内容を復唱して確認しなくても、伝言がそのまま正しく伝わるという効果がある。
【００５５】
また本発明は、通話中に予め録音しておいた音声を送話器であるマイクロフォンから入力される通常の音声と同時に送るようにして、通常の音声が途切れないようすることができる。特に、通話中に送話器から入力される通話者の音声の無音区間は、記憶手段から読み出して送出する音声の音量を大きく、通話者の音声の有音区間は、記憶手段から読み出して送出する音声の音量を小さくするようにしているので、録音しておいた音声を読み出して送出している間に声を出さなければ、送出している音声の音量が大きくなるという効果がある。
【００５６】
また本発明は、通話中に予め録音しておいた音声を挿入しても、録音しておいた音声と通話者の音声が混同されないように、録音しておいた音声と送話器であるマイクロフォンから入力される通話者の音声を区別できるようにした電話装置を提供することができる。このことは、単に録音しておいた音声と通話者の音声を区別できるだけでなく、通話者が録音しておいた音声の主になりすます、いわゆるなりすまし電話としての使用を防止することができるという効果もある。
【図面の簡単な説明】
【図１】本発明の第１の実施の形態に係る電話装置を用いた電話連絡システムのシステム構成図
【図２】本発明の第１の実施の形態に係る電話装置のブロック図
【図３】本発明の第１の実施の形態に係る電話装置の挿入音声記憶手段の記憶内容を示した図
【図４】本発明の第１の実施の形態に係る電話装置の操作状態の外観図
【図５】本発明の第１の実施の形態に係る電話装置で通話中に音声を挿入する動作手順を示したフローチャート
【図６】本発明の第１の実施の形態に係る電話装置で通話中に音声を挿入して送信するときの音声信号の構成を示した図
【図７】本発明の第１の実施の形態に係る電話装置で通話中に音声を挿入して送信するときの音声信号の構成を示した図
【図８】本発明の第１の実施の形態に係る電話装置で通話中に音声を記憶する動作手順を示したフローチャート
【図９】本発明の第２の実施の形態に係る電話装置の動作手順を示したフローチャート
【図１０】本発明の第３の実施の形態に係る電話装置のブロック図
【図１１】本発明の第３の実施の形態に係る電話装置の挿入音声記憶手段の記憶内容を示した図
【図１２】本発明の第３の実施の形態に係る電話装置の操作状態の外観図
【図１３】本発明の第３の実施の形態に係る電話装置の動作手順を示したフローチャート
【符号の説明】
１  携帯電話網
２ａ、２ｂ  基地局
３、４、５，６  携帯電話装置
１３  無線制御手段
１４  全体制御手段
１５  音声処理手段
１６  スピーカー
１７  マイクロフォン
１８  キー操作部
１９  録音・再生キー
２０  表示手段
２２  挿入音声記憶手段
２８、３０、３３、３５  識別音
４１  音声文章化処理手段
【図１】
2004320596.tif 000003
【図２】
2004320596.tif 000004
【図３】
2004320596.tif 000005
【図４】
2004320596.tif 000006
【図５】
2004320596.tif 000007
【図６】
2004320596.tif 000008
【図７】
2004320596.tif 000009
【図８】
2004320596.tif 000010
【図９】
2004320596.tif 000011
【図１０】
2004320596.tif 000012
【図１１】
2004320596.tif 000013
【図１２】
2004320596.tif 000014
【図１３】
2004320596.tif 000015